(57)【要約】【課題】放電の際、大電流が流れることを抑制する有機ＥＬパネル用駆動装置及び表示装置を提供する。【解決手段】有機ＥＬパネル用駆動装置５０は有機ＥＬパネル１０を駆動する。有機ＥＬパネル１０は、互いに交差する複数の走査ラインＳ１〜Ｓｍ及び複数のドライブラインＤ１〜Ｄｎと、走査ラインＳ１〜Ｓｍ及びドライブラインＤ１〜Ｄｎの交差位置に接続される複数の画素Ｅ１１〜Ｅｍｎと、を備える。有機ＥＬパネル用駆動装置５０は、複数の走査ラインＳ１〜Ｓｍのうち走査対象をグランドＧＮＤに接続しつつ、点灯させる画素Ｅ１１〜Ｅｍｎに対応するドライブラインＤ１〜Ｄｎに電流を供給することで画素Ｅ１１〜Ｅｍｎを点灯させる点灯処理と、点灯処理の後に、電流を供給したドライブラインＤ１〜Ｄｎを異なるタイミングにてグランドに接続することで画素Ｅ１１〜Ｅｍｎにチャージされた電荷を順次放出する放電処理と、を行う。【選択図】図１
2018072467.tif 000002
【特許請求の範囲】
【請求項１】
ドットマトリクス型で、かつパッシブ駆動方式の有機ＥＬパネルを駆動する有機ＥＬパネル用駆動装置であって、
前記有機ＥＬパネルは、
互いに交差する複数の走査ライン及び複数のドライブラインと、
前記各走査ライン及び前記各ドライブラインの交差位置に接続される複数の有機ＥＬ素子と、を備え、
前記有機ＥＬパネル用駆動装置は、
前記複数の走査ラインのうち走査対象となる走査ラインをグランドに接続しつつ、前記複数のドライブラインのうち点灯させる前記有機ＥＬ素子に対応する前記ドライブラインに電流を供給することで前記電流が供給される前記有機ＥＬ素子を点灯させる点灯処理と、
前記点灯処理の後に、前記複数のドライブラインのうち前記電流を供給した前記ドライブラインを異なるタイミングにて前記グランドに接続することで前記有機ＥＬ素子にチャージされた電荷を順次放出する放電処理と、を行う、
ことを特徴とする有機ＥＬパネル用駆動装置。
【請求項２】
前記点灯処理においては、基本値に調整値を加算した値の前記電流を前記複数のドライブラインのうち点灯させる前記有機ＥＬ素子に対応する前記ドライブラインに供給し、
前記基本値は、前記複数のドライブライン毎に異なる値に設定されるとともに、前記放電処理において前記ドライブラインを前記グランドに接続するタイミングが遅くなるほど小さい値に設定され、
前記調整値は、要求される前記有機ＥＬ素子の輝度に応じて増減する値に設定される、
ことを特徴とする請求項１に記載の有機ＥＬパネル用駆動装置。
【請求項３】
前記点灯処理の前に、前記点灯処理において点灯させる前記有機ＥＬ素子に係る前記ドライブライン及び前記走査ラインにプリチャージ電圧を印加するプリチャージ処理を行う、
ことを特徴とする請求項１又は２に記載の有機ＥＬパネル用駆動装置。
【請求項４】
請求項１から３の何れか１項に記載の有機ＥＬパネル用駆動装置と、
前記有機ＥＬパネルと、を備える、
ことを特徴とする表示装置。
【発明の詳細な説明】
【技術分野】
【０００１】
本発明は、有機ＥＬパネル用駆動装置及び表示装置に関する。
【背景技術】
【０００２】
従来から、例えば、特許文献１に開示されるように、ドットマトリクス型で、かつパッシブ駆動方式にて駆動される有機ＥＬ（Electroluminescence）パネルが知られている。この種の有機ＥＬパネル１００は、例えば、図８及び図９に示すように、複数のドライブラインＤ１〜Ｄｎと、ドライブラインＤ１〜Ｄｎに直交する複数の走査ラインＳ１〜Ｓ３と、ドライブラインＤ１〜Ｄｎ及び走査ラインＳ１〜Ｓｍの交差箇所に接続される複数の有機ＥＬ素子である画素Ｅ１１〜Ｅｍｎと、を備える。有機ＥＬパネル１００は駆動装置１１０により駆動される。なお、ｍ及びｎは任意の自然数である。
【０００３】
駆動装置１１０は、走査ラインＳ１〜Ｓｍを順にグランドに接続する。具体的には、図８に示すように、駆動装置１１０は、走査ラインＳ２をグランドに接続した状態で、例えば、ドライブラインＤ１〜Ｄｎを定電流源ＣＣＳ（Constant Current Source）に接続する。これにより、定電流源ＣＣＳから走査ラインＳ２に沿う画素Ｅ２１〜Ｅ２ｎに電流が供給されるため、画素Ｅ２１〜Ｅ２ｎが点灯する。その後、駆動装置１１０は、所望の発光輝度とするために所定のタイミングで画素Ｅ１１〜Ｅｍｎにチャージされた電荷を放出する放電を行う（ＰＷＭ（Pulse Width Modulation）制御）。具体的には、駆動装置１１０は、図９に示すように、放電を行う際、ドライブラインＤ１〜Ｄｎ及び走査ラインＳ２をそれぞれグランドに接続する。これにより、各画素Ｅ１１〜Ｅｍｎにチャージされた電荷がグランドに放電される。
【先行技術文献】
【特許文献】
【０００４】
【特許文献１】特開２００９−２４４９０６号公報
【発明の概要】
【発明が解決しようとする課題】
【０００５】
上述した駆動装置１１０においては、図９の矢印で示すように、放電が行われる際、画素Ｅ１１〜Ｅｍｎにチャージされた電荷が全て同一のグランドに集中的に流れ込む。よって、駆動装置１１０には、一時的に大電流が流れるため好ましくなかった。
【０００６】
本発明は、この問題に鑑みなされたものであり、放電の際、大電流が流れることを抑制する有機ＥＬパネル用駆動装置及び表示装置を提供することを目的とする。
【課題を解決するための手段】
【０００７】
上記目的を達成するため、本発明の第１の観点に係る有機ＥＬパネル用駆動装置は、ドットマトリクス型で、かつパッシブ駆動方式の有機ＥＬパネルを駆動する有機ＥＬパネル用駆動装置であって、前記有機ＥＬパネルは、互いに交差する複数の走査ライン及び複数のドライブラインと、前記各走査ライン及び前記各ドライブラインの交差位置に接続される複数の有機ＥＬ素子と、を備え、前記有機ＥＬパネル用駆動装置は、前記複数の走査ラインのうち走査対象となる走査ラインをグランドに接続しつつ、前記複数のドライブラインのうち点灯させる前記有機ＥＬ素子に対応する前記ドライブラインに電流を供給することで前記電流が供給される前記有機ＥＬ素子を点灯させる点灯処理と、前記点灯処理の後に、前記複数のドライブラインのうち前記電流を供給した前記ドライブラインを異なるタイミングにて前記グランドに接続することで前記有機ＥＬ素子にチャージされた電荷を順次放出する放電処理と、を行う。
【０００８】
上記目的を達成するため、本発明の第２の観点に係る表示装置は、上記有機ＥＬパネル用駆動装置と、前記有機ＥＬパネルと、を備える。
【発明の効果】
【０００９】
本発明によれば、放電の際、大電流が流れることを抑制することができる。
【図面の簡単な説明】
【００１０】
【図１】本発明の一実施形態に係るプリチャージ期間における表示装置を示した回路図である。
【図２】本発明の一実施形態に係る点灯期間における表示装置を示した回路図である。
【図３】本発明の一実施形態に係る放電時における表示装置を示した回路図である。
【図４】本発明の一実施形態に係る放電時における表示装置を示した回路図である。
【図５】本発明の一実施形態に係る放電時における表示装置を示した回路図である。
【図６】本発明の一実施形態に係る表示コントローラの制御手順を示したフローチャートである。
【図７】本発明の一実施形態に係る（ａ）〜（ｃ）は画素に供給される電流を示すグラフであり、（ｄ）は走査ラインに印加される電圧を示すグラフである。
【図８】背景技術に係る点灯期間における表示装置を示した回路図である。
【図９】背景技術に係る放電時における表示装置を示した回路図である。
【発明を実施するための形態】
【００１１】
本発明に係る有機ＥＬパネル用駆動装置及び表示装置の一実施形態について、図面を参照して説明する。
【００１２】
図１に示すように、表示装置１は、有機ＥＬパネル１０と、有機ＥＬパネル用駆動装置５０と、を備える。
有機ＥＬパネル１０は、ドットマトリクス型で、かつパッシブ駆動方式により駆動される。有機ＥＬパネル１０は、ｍ行ｎ列のマトリクス状に配置される有機ＥＬ素子からなる画素Ｅ１１〜Ｅｍｎと、複数の走査ラインＳ１〜Ｓｍと、複数のドライブラインＤ１〜Ｄｎと、を備える。ｍ及びｎは任意の自然数である。
【００１３】
走査ラインＳ１〜Ｓｍは、アルミニウム等の金属蒸着膜からなる。また、走査ラインＳ１〜Ｓｍは、本例では、横方向に延び、かつ縦方向に配列される。ドライブラインＤ１〜Ｄｎは、ＩＴＯ（Indium Tin Oxide）等の導電性透明膜からなる。また、ドライブラインＤ１〜Ｄｎは、本例では、走査ラインＳ１〜Ｓｍに直交し、かつ横方向に配列される。画素Ｅ１１〜Ｅｍｎは、走査ラインＳ１〜ＳｍとドライブラインＤ１〜Ｄｎとの交差箇所に接続されている。各画素Ｅ１１〜Ｅｍｎは、並列に接続されたダイオード成分及び寄生容量（コンデンサ）成分からなる等価回路で表される。
【００１４】
有機ＥＬパネル用駆動装置５０は、コントロールドライバーＩＣ（Integrated Circuit）により構成される。具体的には、有機ＥＬパネル用駆動装置５０は、陰極駆動回路２０と、陽極駆動回路３０と、表示コントローラ４０と、を備える。
【００１５】
図１に示すように、陰極駆動回路２０は、陰極側非走査電圧Ｖｃと、端子Ｐと、複数（ｍ個）の走査スイッチ−ＳＷ１〜−ＳＷｍと、を備える。端子Ｐは陰極駆動回路２０の外部に位置するグランドＧＮＤに接続される。複数の走査スイッチ−ＳＷ１〜−ＳＷｍはそれぞれ走査ラインＳ１〜Ｓｍの端部に接続される。走査スイッチ−ＳＷ１〜−ＳＷｍは、走査ラインＳ１〜Ｓｍを陰極側非走査電圧Ｖｃ及びグランドＧＮＤの何れかに選択的に接続する。つまり、走査スイッチ−ＳＷ１〜−ＳＷｍの切り替えを通じて、走査対象となる走査ラインＳ１〜ＳｍはグランドＧＮＤに接続されるとともに、走査対象以外の走査ラインＳ１〜Ｓｍは陰極側非走査電圧Ｖｃに接続される。画素Ｅ１１〜Ｅｍｎは走査スイッチ−ＳＷ１〜−ＳＷｍを通じて陰極側非走査電圧Ｖｃに接続されることで、陰極側非走査電圧Ｖｃから画素Ｅ１１〜Ｅｍｎに逆バイアス方向に電圧が印加される。
【００１６】
図１に示すように、陽極駆動回路３０は、陽極側プリチャージ電圧源Ｖ１と、電流可変部Ａ１〜Ａｎをそれぞれドライブするための駆動電圧源Ｖ２と、複数（ｎ個）の電流可変部Ａ１〜Ａｎと、複数（ｎ個）のドライブスイッチ＋ＳＷ１〜＋ＳＷｎと、を備える。駆動電圧源Ｖ２は、電流可変部Ａ１〜Ａｎに各電圧を印加する。各電流可変部Ａ１〜Ａｎは、表示コントローラ４０による制御のもと、駆動電圧源Ｖ２からの各電圧に基づき所望値の定電流を生成する。図２に示すように、電流可変部Ａ１は第１の電流ＩａをドライブラインＤ１に供給し、電流可変部Ａ２は第２の電流ＩｂをドライブラインＤ２に供給し、電流可変部Ａ３は第３の電流ＩｃをドライブラインＤ３に供給する。複数のドライブスイッチ＋ＳＷ１〜＋ＳＷｎは、それぞれドライブラインＤ１〜Ｄｎの端部に接続される。各ドライブスイッチ＋ＳＷ１〜＋ＳＷｎは、表示コントローラ４０による制御のもと、対応するドライブラインＤ１〜Ｄｎを、陽極側プリチャージ電圧源Ｖ１、グランドＧＮＤ及び対応する電流可変部Ａ１〜Ａｎの何れかに選択的に接続させる。このグランドＧＮＤは、陰極駆動回路２０及び陽極駆動回路３０において共通である。
【００１７】
表示コントローラ４０は、走査スイッチ−ＳＷ１〜−ＳＷｍ、ドライブスイッチ＋ＳＷ１〜＋ＳＷｎ及び電流可変部Ａ１〜Ａｎを制御することで、画素Ｅ１１〜Ｅｍｎの点灯制御を行う。表示コントローラ４０は、外部から画像データを受けて、その画像データに応じた画像を表示するため画素Ｅ１１〜Ｅｍｎを所定の組み合わせ及び輝度にて点灯させる。この画像データは、各画素Ｅ１１〜Ｅｍｎの点灯の有無及び点灯させる画素Ｅ１１〜Ｅｍｎの輝度に係る情報を含む。
簡単に説明すると、表示コントローラ４０は、走査スイッチ−ＳＷ１〜−ＳＷｍを順に一時的に陰極側非走査電圧ＶｃからグランドＧＮＤに切り替えることで走査ラインＳ１〜Ｓｍを順に走査する。表示コントローラ４０は、走査ラインＳ１〜Ｓｍの何れかの走査時に、ドライブスイッチ＋ＳＷ１〜＋ＳＷｎを介して点灯させる画素Ｅ１１〜Ｅｍｎに対応するドライブラインＤ１〜Ｄｎを電流可変部Ａ１〜Ａｎに接続する。一方、点灯させない画素Ｅ１１〜Ｅｍｎに対応するドライブラインＤ１〜ＤｎはグランドＧＮＤに接続する。これにより、走査対象である走査ラインＳ１〜Ｓｍに沿う画素Ｅ１１〜Ｅｍｎが所定の輝度にて点灯される。表示コントローラ４０の制御内容について以下に具体的に説明する。
【００１８】
（表示コントローラ４０の制御手順及び制御内容）
表示コントローラ４０の制御手順について、図６のフローチャートに沿って説明する。このフローチャートに係る処理は、走査ラインＳ２に沿う画素Ｅ２１〜Ｅ２ｎを点灯させるための処理である。このフローチャートに係る処理は、走査ラインＳ１〜Ｓｍの走査毎に繰り返し行われる。なお、このフローチャートにおいて、ステップＳ１０１はプリチャージ処理に相当し、ステップＳ１０２〜Ｓ１０４は点灯処理に相当し、ステップＳ１０５以降は放電処理に相当する。
【００１９】
まず、表示コントローラ４０は全ての画素Ｅ１１〜Ｅｍｎにおいてプリチャージを行う（Ｓ１０１）。具体的には、表示コントローラ４０は、プリチャージを行うにあたって、図１に示すように、ドライブスイッチ＋ＳＷ１〜＋ＳＷｎを介してドライブラインＤ１〜Ｄｎを陽極側プリチャージ電圧源Ｖ１に接続し、走査スイッチ−ＳＷ１〜−ＳＷｍを介して走査ラインＳ１〜Ｓｍを陰極側非走査電圧Ｖｃに接続する。これにより、図７（ａ）〜（ｃ）に示すプリチャージ期間Ｔ１にわたって、各画素Ｅ１１〜Ｅｍｎにプリチャージ電圧が印加される。
【００２０】
次に、図２及び図６に示すように、表示コントローラ４０は、走査スイッチ−ＳＷ２を介して走査ラインＳ２をグランドＧＮＤに接続する（Ｓ１０２）。これにより、図７（ｄ）に示すように、走査ラインＳ２の電位が陰極側非走査電圧ＶｃからグランドＧＮＤまで低下する。そして、表示コントローラ４０は、ドライブスイッチ＋ＳＷ１〜＋ＳＷｎを介して、点灯させる画素Ｅ２１〜Ｅ２ｎに対応するドライブラインＤ１〜Ｄｎを電流可変部Ａ１〜Ａｎに接続する（Ｓ１０３）。そして、表示コントローラ４０は、電流可変部Ａ１〜Ａｎを介して電流の値を設定し、設定された値の電流を画素Ｅ２１〜Ｅ２ｎに供給する（Ｓ１０４）。これにより、画素Ｅ２１〜Ｅ２ｎは所望の組み合わせ及び輝度で点灯する。このステップＳ１０４に係る電流の値の設定方法については後述する。
なお、表示コントローラ４０は、これらステップＳ１０２〜Ｓ１０４を同時に行ってもよいし、適宜異なる順番で行ってもよい。
【００２１】
そして、表示コントローラ４０は、画素Ｅ２１への電流供給開始から第１の点灯期間Ｔａが経過するのを待つ（Ｓ１０５でＮｏ）。表示コントローラ４０は、第１の点灯期間Ｔａが経過した旨判断すると（Ｓ１０５でＹｅｓ）、図３に示すように、ドライブスイッチ＋ＳＷ１を介してドライブラインＤ１をグランドＧＮＤに接続する（Ｓ１０６）。これにより、図３の矢印で示すように、ドライブラインＤ１に沿う画素Ｅ１１，Ｅ２１，Ｅ３１〜Ｅｍ１にチャージされた電荷が端子Ｐを介してグランドＧＮＤに流れる。
【００２２】
次に、表示コントローラ４０は、画素Ｅ２２への電流供給開始から第２の点灯期間Ｔｂが経過するのを待つ（Ｓ１０７でＮｏ）。表示コントローラ４０は、第２の点灯期間Ｔｂが経過した旨判断すると（Ｓ１０７でＹｅｓ）、図４に示すように、ドライブスイッチ＋ＳＷ２を介してドライブラインＤ２をグランドＧＮＤに接続する（Ｓ１０８）。これにより、ドライブラインＤ２に沿う画素Ｅ１２，Ｅ２２，Ｅ３２〜Ｅｍ２にチャージされた電荷が端子Ｐを介してグランドＧＮＤに流れる。
【００２３】
次に、表示コントローラ４０は、画素Ｅ２３への電流供給開始から第３の点灯期間Ｔｃが経過するのを待つ（Ｓ１０９でＮｏ）。表示コントローラ４０は、第３の点灯期間Ｔｃが経過した旨判断すると（Ｓ１０９でＹｅｓ）、図５に示すように、ドライブスイッチ＋ＳＷ３を介してドライブラインＤ３をグランドＧＮＤに接続する（Ｓ１１０）。これにより、ドライブラインＤ３に沿う画素Ｅ１３，Ｅ２３，Ｅ３３〜Ｅｍ３にチャージされた電荷が端子Ｐを介してグランドＧＮＤに流れる。
表示コントローラ４０は、上記ステップＳ１０４〜Ｓ１０９と同様に、ドライブラインＤ３以降の図示しないドライブラインを順番にグランドＧＮＤに接続していく。そして、表示コントローラ４０は、最後のドライブラインＤｎをグランドＧＮＤに接続させたときに、当該フローチャートに係る処理を終了する。
以上のように、ドライブラインＤ１〜Ｄｎに沿う画素Ｅ１１〜Ｅｍｎ毎に異なるタイミングで電荷がグランドＧＮＤに流れるため、グランドＧＮＤに接続される端子Ｐに大電流が流れることが抑制される。
【００２４】
次に、図７（ａ）〜（ｄ）を参照しつつ表示コントローラ４０による画素Ｅ１１〜Ｅｍｎへの電流制御方法について説明する。
表示コントローラ４０は、図７（ａ）に示すように、第１の点灯期間Ｔａにわたって画素Ｅ２１に第１の電流Ｉａを供給し、図７（ｂ）に示すように、第２の点灯期間Ｔｂにわたって画素Ｅ２２に第２の電流Ｉｂを供給し、図７（ｃ）に示すように、第３の点灯期間Ｔｃにわたって画素Ｅ２３に第３の電流Ｉｃを供給する。第１〜第３の点灯期間Ｔａ〜Ｔｃは、プリチャージ期間Ｔ１の経過後に同時に開始されるとともに、それぞれ異なる長さに設定されている。よって、各点灯期間Ｔａ〜Ｔｃが終了する時刻ｔ１〜ｔ３はそれぞれ異なる。本例では、第１の点灯期間Ｔａは第２の点灯期間Ｔｂよりも期間が短く、第２の点灯期間Ｔｂは第３の点灯期間Ｔｃよりも期間が短い。言い換えると、画素Ｅ２１〜Ｅ２３毎に走査期間Ｔｄにおけるオンデューティ比が異なるように設定されている。走査期間Ｔｄは、図７（ｄ）に示すように、走査ラインＳ１〜Ｓｍのうち走査対象がグランドＧＮＤに接続される期間である。
【００２５】
また、本例では、図７（ａ）〜（ｃ）に示すように、表示コントローラ４０は、電流可変部Ａ１〜Ａｎを利用したＰＡＭ（Pulse Amplitude Modulation）制御により画素の輝度を調整する。画素Ｅ２１〜Ｅ２３に供給される第１〜第３の電流Ｉａ〜Ｉｃは以下の式（１）〜（３）により算出される。
Ｉａ＝Ｉａ’＋ΔＩａ・・・（１）
Ｉｂ＝Ｉｂ’＋ΔＩｂ・・・（２）
Ｉｃ＝Ｉｃ’＋ΔＩｃ・・・（３）
表示コントローラ４０は、点灯させる画素Ｅ２１〜Ｅ２３の輝度を調整するべく、予め規定される基本値Ｉａ’〜 Ｉｃ’に加算される調整値ΔＩａ〜ΔＩｃを変化させる。各基本値Ｉａ’〜 Ｉｃ’はそれぞれ異なる値に予め設定されている。基本値Ｉａ’は基本値Ｉｂ’よりも大きく、基本値Ｉｂ’は基本値Ｉｃ’よりも大きい。すなわち、各基本値Ｉａ’〜 Ｉｃ’は、各点灯期間Ｔａ〜Ｔｃが長くなるほど小さく設定されている。例えば、画像データにより要求される画素Ｅ２１〜Ｅ２３の輝度が全て最低の輝度である場合には、表示コントローラ４０は、各調整値ΔＩａ〜ΔＩｃをゼロに設定し、基本値Ｉａ’〜 Ｉｃ’と同一値の第１〜第３の電流Ｉａ〜Ｉｃを画素Ｅ２１〜Ｅ２３に供給する。
【００２６】
以上のように、第１〜第３の点灯期間Ｔａ〜Ｔｃ及び基本値Ｉａ’〜 Ｉｃ’はドライブラインＤ１〜Ｄｎ毎に異なるように設定される。このため、仮に画像データにより要求される画素Ｅ２１〜Ｅ２３の輝度が全て同一である場合にも、各点灯期間Ｔａ〜Ｔｃの終了時刻ｔ１〜ｔ３である放電開始タイミングを異ならせつつ、各画素Ｅ２１〜Ｅ２３に供給される電流を時間積分したときの面積Ｓａ〜Ｓｃを画素Ｅ２１〜Ｅ２３間で同一とすることができる。この面積Ｓａ〜Ｓｃは画素Ｅ２１〜Ｅ２３の輝度に比例するため、面積Ｓａ〜Ｓｃを同一にすることで、画素Ｅ２１〜Ｅ２３の輝度を同一にすることができる。
【００２７】
（効果）
以上、説明した一実施形態によれば、特に、以下の効果を奏する。
【００２８】
（１）有機ＥＬパネル用駆動装置５０は、ドットマトリクス型で、かつパッシブ駆動方式の有機ＥＬパネル１０を駆動する。有機ＥＬパネル１０は、互いに交差する複数の走査ラインＳ１〜Ｓｍ及び複数のドライブラインＤ１〜Ｄｎと、各走査ラインＳ１〜Ｓｍ及び各ドライブラインＤ１〜Ｄｎの交差位置に接続される複数の有機ＥＬ素子である画素Ｅ１１〜Ｅｍｎと、を備える。有機ＥＬパネル用駆動装置５０は、複数の走査ラインＳ１〜Ｓｍのうち走査対象となる走査ラインＳ１〜ＳｍをグランドＧＮＤに接続しつつ、複数のドライブラインＤ１〜Ｄｎのうち点灯させる画素Ｅ１１〜Ｅｍｎに対応するドライブラインＤ１〜Ｄｎに電流を供給することでこの電流が供給される画素Ｅ１１〜Ｅｍｎを点灯させる点灯処理と、点灯処理の後に、複数のドライブラインＤ１〜Ｄｎのうち電流を供給したドライブラインＤ１〜Ｄｎを異なるタイミング（時刻ｔ１〜ｔ３）にてグランドＧＮＤに接続することで画素Ｅ１１〜Ｅｍｎにチャージされた電荷を順次放出する放電処理と、を行う。
この構成によれば、画素Ｅ１１〜Ｅｍｎにチャージされた電荷がドライブラインＤ１〜Ｄｎに沿う画素Ｅ１１〜Ｅｍｎ毎に異なるタイミングにてグランドＧＮＤに流される。よって、放電の際、有機ＥＬパネル用駆動装置５０におけるグランドＧＮＤに接続される端子Ｐに大電流が流れることが抑制される。この端子Ｐは、例えば、有機ＥＬパネル用駆動装置５０を構成するＩＣのグランド用のバンプである。このバンプは、導電性粒子を含むＡＣＦ（Anisotropic Conductive Film）又はＡＣＰ（Anisotropic Conductive Paste）を介してグランドＧＮＤに接続される。この導電性粒子は許容電流が小さいことから、大電流の抑制は特に有益である。
また、大電流が抑制されることで、大電流に耐えるように端子Ｐ等のサイズを大きくする必要がないことから、有機ＥＬパネル用駆動装置５０、ひいては表示装置１の小型化を図ることができる。さらに、大電流が抑制されることで、有機ＥＬパネル用駆動装置５０から発する電磁ノイズを低減することができる。これら表示装置１の小型化及び電磁ノイズの低減は、特に表示装置１が車載される場合に有益である。
【００２９】
（２）有機ＥＬパネル用駆動装置５０は、点灯処理においては、基本値Ｉａ’〜 Ｉｃ’に調整値ΔＩａ〜ΔＩｃを加算した値の電流Ｉａ〜ＩｃをドライブラインＤ１〜Ｄｎのうち点灯させる画素Ｅ１１〜Ｅｍｎに対応するドライブラインＤ１〜Ｄｎに供給する。基本値Ｉａ’〜 Ｉｃ’は、ドライブラインＤ１〜Ｄｎ毎に異なる値に設定される。また、基本値Ｉａ’〜 Ｉｃ’は、放電処理においてドライブラインＤ１〜ＤｎをグランドＧＮＤに接続するタイミングである時刻ｔ１〜ｔ３が遅くなるほど小さい値に設定される。さらに、調整値ΔＩａ〜ΔＩｃは、要求される画素Ｅ１１〜Ｅｍｎの輝度に応じて増減する値に設定される。
この構成によれば、要求される画素Ｅ１１〜Ｅｍｎの輝度に関わらず、確実に画素Ｅ１１〜Ｅｍｎ毎に異なるタイミングにて放電させることができる。よって、より確実に大電流を抑制することができる。
【００３０】
（３）有機ＥＬパネル用駆動装置５０は、点灯処理の前に、点灯処理において点灯させる画素Ｅ１１〜Ｅｍｎに係るドライブラインＤ１〜Ｄｎ及び走査ラインＳ１〜Ｓｍにプリチャージ電圧を印加するプリチャージ処理を行う。
この構成によれば、発光させる画素Ｅ１１〜Ｅｍｎに予めプリチャージ電圧を印加しておくことで、点灯処理においてチャージに要する時間を低減することができ、迅速に画素Ｅ１１〜Ｅｍｎを所望の輝度で点灯させることができる。
【００３１】
（変形例）
なお、上記実施形態は、これを適宜変更した以下の形態にて実施することができる。
【００３２】
上記実施形態においては、調整値ΔＩａ〜ΔＩｃは第１〜第３の点灯期間Ｔａ〜Ｔｃにのみ設定されていたが、プリチャージ期間Ｔ１においても調整値ΔＩａ〜ΔＩｃが設定されてもよい。
【００３３】
上記実施形態においては、有機ＥＬパネル用駆動装置５０は、ドライブラインＤ１〜Ｄｎのうち一本に沿う画素Ｅ１１〜Ｅｍｎ毎に異なるタイミングにて放電していたがドライブラインＤ１〜Ｄｎのうち二本以上に沿う画素Ｅ１１〜Ｅｍｎ毎に異なるタイミングにて放電してもよい。これにより、放電をより迅速に完了させることができる。
【００３４】
上記実施形態においては、有機ＥＬパネル用駆動装置５０は、ドライブラインＤ１、ドライブラインＤ２、ドライブラインＤ３の順で放電していたが、その放電の順序はこれに限定されず、どのような順番であってもよい。
【００３５】
上記実施形態においては、ステップＳ１０１にてプリチャージが実行されていたが、このプリチャージは省略されてもよい。
【００３６】
上記実施形態においては、有機ＥＬパネル用駆動装置５０は、電流Ｉａ〜Ｉｃを調整することで画素Ｅ１１〜Ｅｍｎの輝度を調整していたが、これに限らず、電流Ｉａ〜Ｉｃを同一値に設定し、電流Ｉａ〜Ｉｃの供給期間の調整を通じて画素Ｅ１１〜Ｅｍｎの輝度を調整してもよい。また、有機ＥＬパネル用駆動装置５０は、電流Ｉａ〜Ｉｃの値及び電流Ｉａ〜Ｉｃの供給期間の両方を調整することで画素Ｅ１１〜Ｅｍｎの輝度を調整してもよい。
【符号の説明】
【００３７】
１  表示装置
１０  有機ＥＬパネル
２０  陰極駆動回路
２２  走査スイッチ
３０  陽極駆動回路
４０  表示コントローラ
５０  有機ＥＬパネル用駆動装置
Ａ１〜Ａｎ  電流可変部
Ｄ１〜Ｄｎ  ドライブライン
Ｅ１１〜Ｅｍｎ  画素
Ｓ１〜Ｓｍ  走査ライン
Ｉａ  第１の電流
Ｉｂ  第２の電流
Ｉｃ  第３の電流
Ｉａ’〜Ｉｃ’  基本値
ΔＩａ〜ΔＩｃ  調整値
Ｐ  端子
Ｔａ  第１の点灯期間
Ｔｂ  第２の点灯期間
Ｔｃ  第３の点灯期間
Ｔｄ  走査期間
＋ＳＷ１〜＋ＳＷｎ  ドライブスイッチ
−ＳＷ１〜−ＳＷｍ  走査スイッチ
【図１】
2018072467.tif 000003
【図２】
2018072467.tif 000004
【図３】
2018072467.tif 000005
【図４】
2018072467.tif 000006
【図５】
2018072467.tif 000007
【図６】
2018072467.tif 000008
【図７】
2018072467.tif 000009
【図８】
2018072467.tif 000010
【図９】
2018072467.tif 000011